(57)【要約】      （修正有）【課題】イスやテーブルの脚柱、柱等の柱状体や棒状体、あるいは、植木鉢その他種々の筒体に簡単に巻回装着でき、十分な表示面積を確保することができて、当該巻装物に対する注意喚起事項を表示したり、商店等の販売促進やイベントに際するＰＯＰ広告を表示したり、あるいは、当該巻装物の装飾性を高めたりするのに好適な表示用具を提供する。【解決手段】断面がランドルフ形状で中心に円柱状空間部１２を有する円筒状となるエアバッグ１を設け、エアバッグ１の外側面に透視性のポケット２を形成して成る表示用具である。好ましくは、エアバッグ１の側面分離部１３の任意の個所に、側面分離部１３の両端部を連結する係着手段３を取り付ける。【選択図】図１
0003139857.tif 000002
【実用新案登録請求の範囲】
【請求項１】
断面がランドルフ形状で中心に円柱状空間部を有する円筒状となるエアバッグを設け、前記エアバッグの外側面に透視性のポケットを形成して成る表示用具。
【請求項２】
前記エアバッグの側面分離部の任意の個所に、該側面分離部の両端部を連結する係着手段を取り付けた請求項１に記載の表示用具。
【請求項３】
前記エアバッグは、ランドルフ形状の上面形成部及び底面形成部と、前記上面形成部及び底面形成部の外周と同長の上下辺を有する長方形状の外側面形成部と、前記上面形成部及び底面形成部の内周と同長の上下辺を有する長方形状の内側面形成部と、前記外側面形成部及び／又は内側面形成部の端縁を延長して形成した閉塞端面形成部とを接着又は溶着して形成される、請求項１に記載の表示用具。
【請求項４】
前記外側面形成部には、予め前記ポケットが形成される請求項３に記載の表示用具。
【請求項５】
前記エアバッグは、エア充填口を備える請求項１に記載の表示用具。
【請求項６】
前記エアバッグは、上下方向に連結可能である請求項１に記載の表示用具。
【考案の詳細な説明】
【技術分野】
【０００１】
本考案は表示用具、より詳細には、イスやテーブルの脚柱、柱等の柱状体や棒状体、あるいは、植木鉢等の筒体に巻回装着し、当該被巻装物に対する注意喚起事項を表示させたり、商店等の販売促進やイベントに際するＰＯＰ広告を表示させたり、あるいは、当該被巻装物の視認性や装飾性を高めたりする表示用具に関するものである。
【背景技術】
【０００２】
例えば、パチンコ店において、当該遊戯台が新台であることを示すための表示用具として、実用新案登録第３０９９２１８号公報に示される、イスの背凭れカバーに装着するタイプのものが知られている。これは、パチンコ店の遊戯台前の通路に沿って配列されるイスの背凭れに着脱自在に装着する背凭れカバーと、該背凭れカバーに着脱自在に結合され、且つ、表面に文字や図形が記載された表示シートの組合せから成る。
【０００３】
この構成の場合、前記背凭れカバーの前記通路側に対応する面に、前記表示シートを着脱自在に結合するためのファスナー用の歯を備えた一対のテープの一方が水平に設けられ、前記表示シートの上部近傍の裏面に、前記一方のテープに結合分離される他方のテープが設けられ、前記何れかのテープに、前記一対のテープの前記歯部を結合分離するためのファスナー用すべり金具が設けられている。
【０００４】
しかるに、この表示用具の場合、情報を表示する表示シートは通路側、即ち、イスの背面側に向くため、通路を進行する客の目には入りにくい。そうかといって、イスの背凭れの側面には十分な厚みがなく、そこに十分な表示面積を確保することができないので、背凭れの側面に表示シートを配することはできない。また、この表示用具は、使用対象が限定される。
【０００５】
【特許文献１】実用新案登録第３０９９２１８号公報
【考案の開示】
【考案が解決しようとする課題】
【０００６】
上述したように、従来提唱されているイス等に装着する表示用具には視認性の点で問題があり、また、使用対象が限られて汎用性がないという問題があったので、本考案はそのような問題のない、即ち、イスやテーブルの脚柱、柱等の柱状体や棒状体、あるいは、植木鉢その他種々の筒体に簡単に巻回装着でき、十分な表示面積を確保することができて、当該巻装物に対する注意喚起事項を表示したり、商店等の販売促進やイベントに際するＰＯＰ広告を表示したり、あるいは、当該巻装物の装飾性を高めたりするのに好適な表示用具を提供することを課題とする。
【課題を解決するための手段】
【０００７】
上記課題を解決するための請求項１に記載の考案は、断面がランドルフ形状で中心に円柱状空間部を有する円筒状となるエアバッグを設け、前記エアバッグの外側面に透視性のポケットを形成して成る表示用具である。好ましくは、前記エアバッグの側面分離部の任意の個所に、該側面分離部の両端部を連結する係着手段を取り付ける。
【０００８】
前記エアバッグは、ランドルフ形状の上面形成部及び底面形成部と、前記上面形成部及び底面形成部の外周と同長の上下辺を有する長方形状の外側面形成部と、前記上面形成部及び底面形成部の内周と同長の上下辺を有する長方形状の内側面形成部と、前記外側面形成部及び／又は内側面形成部の端縁を延長して形成した閉塞端面形成部とを接着又は溶着して形成することができる。その場合、好ましくは、前記外側面形成部に、予め前記ポケットが形成される。
【０００９】
また、好ましくは、前記エアバッグにエア充填口が形成される。前記エアバッグは、上下方向に連結可能にされることもある。
【考案の効果】
【００１０】
本考案は上記のとおりであり、係着手段を外し、側面分離部から開いてイスやテーブルの脚柱、柱等その他種々の柱状体や棒状体、あるいは、植木鉢その他種々の筒体に簡単に巻装でき、その外表面の全体またはその多くの部分が表示可能面となるので十分な表示面積を確保することができ、当該被巻装物に対する注意喚起事項を表示したり、商店等の販売促進やイベントに際するＰＯＰ広告を表示したり、あるいは、当該被巻装物の装飾性を高めたりするのに好適な表示用具となる効果がある。
【考案を実施するための最良の形態】
【００１１】
本考案を実施するための最良の形態につき、添付図面に依拠して説明する。図１は、本考案に係る表示用具の一実施形態の構成を示す斜視図であり、図２はその分解斜視図、図３はその使用状態図である。該表示用具は、膨満時に断面がランドルフ形状で中心に円柱状空間部１２を有する円筒状となるエアバッグ１の外側面に、透視性のポケット２を設けて成る。そして好ましくは、エアバッグ１の側面分離部１３の任意の個所に取り付けられ、側面分離部１３の両端部を連結する係着手段３、４を備える。各構成部は、エアクッション等として一般に用いられている樹脂シート材で形成することができる。
【００１２】
例えば、エアバッグ１は、ランドルフ形状の上面形成部５及び底面形成部６と、上面形成部５及び底面形成部６の外周と同長の上下辺を有する長方形状の外側面形成部７と、上面形成部５及び底面形成部６の内周と同長の上下辺を有する長方形状の内側面形成部８と、外側面形成部７及び／又は内側面形成部８（図２に示す例では内側面形成部８）の端縁を延長して形成した閉塞端面形成部９とを、互いに接着又は溶着して形成することができる。その場合、予め外側面形成部７に、ポケット２及びエア充填口１０を設けておくことが好ましい。
【００１３】
エアバッグ１は、不使用時にはエアを抜いて平坦に畳めるようにし、使用時にエアを供給して膨満させて円筒状にし得るようにすることが好ましいが、予めエアを充満させた状態で密封するように構成することもできる。後者の場合には、エア充填口１０が不要となることは言うまでもない。円柱状空間部１２の内径は、上面形成部５及び底面形成部６の内径を変えることにより任意に変えることができる。
【００１４】
本表示用具の高さを増すために、エアバッグ１を上下方向に連結可能にすることもある。そのようにするためには、例えば、エアバッグ１の上下辺又は上面５と底面６に、相対応する面テープ、ファスナー等の係着手段を配備すればよい。
【００１５】
ポケット２は、透明または半透明の樹脂シートで、エアバッグ１と同一素材製とすることもできる。ポケット２には、ポスター、写真、文字情報記載紙等の情報シート１１を入れ替え挿入することができる（図３参照）。ポケット２は、通常、エアバッグ１の外側面全体に及ぶものとされるが、部分的であってもよく、また、必要に応じ、適宜区画される。
【００１６】
図示してないが、エアバッグ１の外側面にフラッグを設け、例えば、パチンコ店においてそこに「新台」等の注意喚起事項を表示すれば、一層人目を引くものとなり、情報提供手段としてより有効なものとなる。
【００１７】
エアバッグ１の側面分離部１３には、イスやテーブルの脚柱１５等に巻装固定するための、端部同士を係着する係着手段３、４が取り付けられる。係着手段３、４は相対応して係脱可能なものであり、例えば、面ファスナー、ボタン、フック等が考えられる。
【００１８】
本考案に係る表示用具は、膨満時において断面ランドルフ形状の円柱状となり、側面分離部１３の端面同士が近接し、あるいは、軽く当接した状態となる。その状態でポケット２に情報シート１１を挿入した後、側面分離部１３を開いてイスやテーブルの脚柱１５等に嵌め付けることにより、何人も簡単にそこに巻装することができる。係着手段３、４を設けた場合は、それを介して側面分離部１３の端部同士を連結することにより、確実に固定することができる。また、情報シート１１の差し替え等に伴って取り外す作業も、同様に簡単に行うことができる。本考案に係る表示用具は、その装着状態において何ら邪魔になることはない。
【００１９】
本表示用具は上記いずれの巻装状態においても円筒状になり、どの方向においても同じように十分な表示面積が確保される。従って、どの方向から見ても十分な視認性が得られ、表示用具として好適なものとなる。
【００２０】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００２１】
【図１】本考案の一実施形態の構成方法を示す分解斜視図である。
【図２】本考案の一実施形態の巻装前の状態を示す斜視図である。
【図３】本考案の一実施形態の巻装状態を示す斜視図である。
【符号の説明】
【００２２】
１      エアバッグ
２      ポケット
３、４  係着手段
５      上面形成部
６      底面形成部
７      外側面形成部
８      内側面形成部
９      閉塞端面形成部
１０    エア充填口
１１    情報シート
１２    円柱状空間部
１３    側面分離部
１５    脚柱
【図１】
0003139857.tif 000003
【図２】
0003139857.tif 000004
【図３】
0003139857.tif 000005